【手続補正書】
【提出日】平成30年1月16日(2018.1.16)
【手続補正１】
【補正対象書類名】特許請求の範囲
【補正対象項目名】全文
【補正方法】変更
【補正の内容】
【特許請求の範囲】
【請求項１】
ブラシを交換する方法であって、
柱状部を備える支持体にブラシホルダが連結されている間に前記ブラシホルダ上にハンドルを配置するステップであり、前記ブラシが前記ブラシホルダ内に少なくとも部分的に配置されており、前記ブラシホルダ上に前記ハンドルを配置する前記ステップは、前記ハンドルの空洞内に移動可能に配置されたコア内の凹所の中に前記柱状部を挿入する、ステップと、
前記ハンドルを前記ブラシホルダに対して、時計回り方向または反時計回り方向である第１の方向に回転させて、前記ハンドルを前記ブラシホルダに連結するステップと、
前記ハンドルが前記ブラシホルダに装着された状態で前記ハンドルを引っ張ることにより前記支持体から前記ブラシホルダを取り外すステップであり、前記支持体から前記ブラシホルダを取り外す前記ステップは、前記コア内の前記凹所から前記柱状部を取り外す、ステップと、
前記ブラシホルダから前記ブラシを取り外すステップと、
を含む方法。
【請求項２】
替えブラシを前記ブラシホルダ内に少なくとも部分的に配置するステップと、
前記替えブラシが前記ブラシホルダ内に少なくとも部分的に配置されている間に前記ハンドルを使用して前記ブラシホルダを前記支持体上に配置するステップと、
前記ハンドルを前記ブラシホルダに対して前記第１の方向とは逆の第２の方向に回転させるステップと、
前記ブラシホルダから前記ハンドルを取り外すステップと、
をさらに含む、請求項１に記載の方法。
【請求項３】
前記ブラシホルダ上に前記ハンドルを配置する前記ステップは、前記ブラシホルダ上の連結部材を前記ハンドル内に受容する、請求項１に記載の方法。
【請求項４】
前記ブラシホルダ上に前記ハンドルを配置する前記ステップは、前記柱状部上のロッカアームを押し下げる、請求項１に記載の方法。
【請求項５】
前記ハンドルを前記ブラシホルダに対して前記第１の方向に回転させる前記ステップは、前記ブラシホルダ上の連結部材上のボスを、前記コアによって設けられた相補的な溝と垂直方向に位置合せする、請求項１に記載の方法。
【請求項６】
前記支持体から前記ブラシホルダを取り外す前記ステップは、前記柱状部上のロッカアームを回転させる、請求項１に記載の方法。
【請求項７】
ブラシを交換する方法であって、
柱状部を備える支持体にブラシホルダが連結されている間に前記ブラシホルダ上にハンドルを配置するステップであり、前記ブラシが前記ブラシホルダ内に少なくとも部分的に配置されており、前記ブラシホルダ上に前記ハンドルを配置する前記ステップは、前記ハンドルの空洞内に移動可能に配置されたコア内の凹所の中に前記柱状部を挿入する、ステップと、
前記ハンドルを前記ブラシホルダに対して、時計回り方向または反時計回り方向である第１の方向に回転させて、前記ハンドルを前記ブラシホルダに連結するステップと、
前記ハンドルが前記ブラシホルダに装着された状態で前記ハンドルを引っ張ることにより前記支持体から前記ブラシホルダを取り外すステップであり、前記支持体から前記ブラシホルダを取り外す前記ステップは、前記コアを前記空洞内で下方に摺動させる、ステップと、
前記ブラシホルダから前記ブラシを取り外すステップと、
を含む方法。
【請求項８】
前記支持体から前記ブラシホルダを取り外す前記ステップは、前記コア内の前記凹所から前記柱状部を取り外すことを含む、請求項７に記載の方法。
【請求項９】
替えブラシを前記ブラシホルダ内に少なくとも部分的に配置するステップと、
前記替えブラシが前記ブラシホルダ内に少なくとも部分的に配置されている間に前記ハンドルを使用して前記ブラシホルダを前記支持体上に配置するステップと、
前記ハンドルを前記ブラシホルダに対して、前記第１の方向とは逆の第２の方向に回転させるステップと、
前記ブラシホルダから前記ハンドルを取り外すステップと、
をさらに含む、請求項７に記載の方法。
【請求項１０】
前記ブラシホルダ上に前記ハンドルを配置する前記ステップは、前記ブラシホルダ上の連結部材を前記ハンドル内に受容することを含む、請求項７に記載の方法。
【請求項１１】
前記ブラシホルダ上に前記ハンドルを配置する前記ステップは、前記柱状部上のロッカアームを押し下げることを含む、請求項７に記載の方法。
【請求項１２】
前記ハンドルを前記ブラシホルダに対して前記第１の方向に回転させる前記ステップは、前記ブラシホルダ上の連結部材上のボスを、前記コアによって設けられた相補的な溝と垂直方向に位置合せすることを含む、請求項７に記載の方法。
【請求項１３】
前記支持体から前記ブラシホルダを取り外す前記ステップは、前記柱状部上のロッカアームを回転させることを含む、請求項７に記載の方法。
【手続補正２】
【補正対象書類名】明細書
【補正対象項目名】００２４
【補正方法】変更
【補正の内容】
【００２４】
[0072]図３Ｂおよび図３Ｃに示されているように、支持フランジ４６は、１つまたは複数の接触ばね４８、例えば１対のばねを、１つのばねが本体４４の各側面に接触した状態で備えていてもよい。１つまたは複数の接触ばね４８は、支持体４０が背板３０の中にかつ／または背板３０に接して配置されると、延長部３２に当たって付勢することができる。１つまたは複数の接触ばね４８は、背板３０の中でかつ／または背板３０に接して支持体４０上の位置を保ち得るとともに、ブラシホルダ２０と支持体４０との間に安定した電気的接触をもたらし得る。付加的にまたは代替的に、背板３０は、１つまたは複数の接触ばね４８が支持体４０に当たって付勢するように１つまたは複数の接触ばね４８を備えていてもよい。背板３０は、１つまたは複数の接触ばね４８の付勢力（ｂｉａｓ  ｆｏｒｃｅ）より大きい外力によって、例えばユーザが背板３０を支持体４０に対して上方に摺動させるかまたは引っ張ることによって支持体４０から取り外されてもよい。この実施形態は限定するものではなく、支持体４０は、当業者に知られている任意の機構を使用して背板３０に連結されてもよい。
【手続補正３】
【補正対象書類名】明細書
【補正対象項目名】００２７
【補正方法】変更
【補正の内容】
【００２７】
[0075]図４Ａおよび図４Ｂに示されているように、リテーナ２６は、静止状態でブラシ箱２２の中へ水平方向に延びる脚２７を備えることができ、ブラシ箱２２の底と同一平面上にありかつ／またはブラシ箱２２の底に近接する。ブラシ１００がブラシ箱２２によって受容されているとき、リテーナ２６の脚２７は、ブラシ１００の底面と接触することによりブラシ箱２２内にブラシ１００を保持する。リテーナ２６は、設置または取り外し時の望まれない移動に対してブラシ１００を確実に保持し得る。リテーナ２６は、脚２７に対してリテーナ２６の反対側から延びる１つまたは複数の延長部２３を備えていてもよい。
【手続補正４】
【補正対象書類名】明細書
【補正対象項目名】００２９
【補正方法】変更
【補正の内容】
【００２９】
[0077]図５Ａ〜図５Ｆに示されているように、ハンドル６０はステム６２を備えていてもよく、ハンドル６０の基部を形成するシェル６４を備えていてもよい。ステム６２は、ステム６２の回転がシェル６４を回転させるように、シェル６４に固定して連結されてもよい。例えば、ステム６２上のねじ山６１がシェル６４上の相補的ねじ山６３と対合してもよいが、当業者に知られている任意の連結が使用されてもよい。ステム６２は、回転装置が通電されるかまたは回転している間にハンドル６０を装着し、使用しかつ取り外せるようにし得る絶縁体６５を備えていてもよい。
【手続補正５】
【補正対象書類名】明細書
【補正対象項目名】００５０
【補正方法】変更
【補正の内容】
【００５０】
[0098]第１の方法のステップ（６）を示す図８Ｋおよび図８Ｌに示されているように、次いで、ハンドル６０に連結されたブラシホルダ２０は支持体４０から取り外されてハンドル６０をブラシホルダ２０にロックすることができる。例えば、ユーザがハンドル６０を上方に引っ張って、支持体４０がブラシホルダ２０の背板３０から滑り出るようにしてもよい。
【手続補正６】
【補正対象書類名】明細書
【補正対象項目名】００５１
【補正方法】変更
【補正の内容】
【００５１】
[0099]この動きにより、柱状部４９がコア７０の凹所８０から取り外されてコア７０はロックフランジ５４上に落下することが可能になる。コア歯７４はロックフランジ５４と同じ水平面内に移動して、コア歯７４の内側がロックフランジ５４の側面に当接し、溝８６がボス５５を受容する。この動きはハンドル６０をブラシホルダ２０に効果的にロックする。というのは、圧縮ばね７２がコア７０を下方に連結部材５０上にまで付勢して、溝８６内のボス５５およびコア歯７４がロックフランジ５４の回転を阻止するからである。一実施形態では、ハンドル６０をブラシホルダ２０にロックすることで、ブラシホルダ２０を支持体４０に完全に着座させることによるかまたはユーザがトリガ８２を引き上げること（トリガ８２が設けられている場合）による場合（共に以下でより詳細に論じる）を除いて、ハンドル６０がブラシホルダ２０から切り離されるのを阻止する。
【手続補正７】
【補正対象書類名】明細書
【補正対象項目名】００５２
【補正方法】変更
【補正の内容】
【００５２】
[00100]ブラシホルダ２０からハンドル６０を切り離す一方法は、ユーザがトリガ８２を上方に引っ張ることによるものである。トリガ８２の上方への移動は、ピン７６をシェル６４に対して上方に摺動させ、それによって圧縮ばね７２の付勢に抗してコア７０を空洞６６内で上方に摺動させる。この動きは、溝８６をボス５５から上方に遠ざけるとともに、コア歯７４をロックフランジ５４から上方に遠ざける。したがって、次いで、ハンドル６０は、シェル歯７８がロックフランジ５４の真下にある位置（図８Ｋおよび図８Ｌに示されているロック位置）から回転させられてシェル歯７８がロックフランジ５４からオフセットされた位置に戻ることができる。このロック解除位置は、背板３０の上部外面３４からハンドル６０を持ち上げることによりハンドル６０がブラシホルダ２０の背板３０から取り外されることを可能にすることが好ましい。
【手続補正８】
【補正対象書類名】明細書
【補正対象項目名】００５６
【補正方法】変更
【補正の内容】
【００５６】
[00104]この動きは、溝８６をボス５５から上方に遠ざけるとともに、コア歯７４をロックフランジ５４から上方に遠ざける。したがって、次いで、ハンドル６０は、シェル歯７８がロックフランジ５４の真下にあるロック位置からシェル歯７８がロックフランジ５４からオフセットされた図９Ｅおよび図９Ｆに示されているロック解除位置まで回転させることができる（第２の方法のステップ（３））。このロック解除位置は、第２の方法のステップ（４）を示す図９Ｇおよび図９Ｈに示されているように、背板３０の上部外面３４からハンドル６０を持ち上げることによりハンドル６０がブラシホルダ２０の背板３０から取り外されることを可能にすることが好ましい。上述したように、ハンドル６０は、ブラシホルダ２０に対して約９０度回転させられてロック解除位置からロック位置に移動し、逆方向に約９０度回転させられてロック解除位置に戻ることが好ましい。
【手続補正９】
【補正対象書類名】明細書
【補正対象項目名】００５９
【補正方法】変更
【補正の内容】
【００５９】
[00107]したがって、本開示は操作装置上のブラシを交換する方法を提供し、この方法は、（ａ）ブラシホルダが柱状部を備える支持体に連結される間にブラシが少なくとも部分的に配置されているブラシホルダ上にハンドルを配置することであって、ブラシホルダ／支持体アセンブリ上にハンドルを配置することが、ハンドルの空洞内に移動可能に配置されたコア内の凹所内に柱状部を挿入すること、（ｂ）ハンドルをブラシホルダに対して時計回り方向または反時計回り方向である第１のハンドル回転方向に回転させてハンドルをブラシホルダに連結すること、（ｃ）ハンドルがブラシホルダに装着された状態でハンドルを引っ張ることにより支持体からブラシホルダを取り外すこと、（ｄ）ハンドルがブラシホルダに装着されていても装着されていなくてもよい間にブラシを取り外すこと、（ｅ）ハンドルがブラシホルダに装着されていても装着されていなくてもよい間に替えブラシをブラシホルダ内に少なくとも部分的に配置すること、（ｆ）ハンドルおよび替えブラシが装着された状態でハンドルを使用してブラシホルダを支持体上に配置すること、（ｇ）次いで、ハンドルを第１の方向とは逆の第２の方向に回転させてブラシホルダからハンドルを解放すること、（ｈ）次いで、ブラシホルダからハンドルを取り外すこと、を含む。
【手続補正１０】
【補正対象書類名】明細書
【補正対象項目名】００６２
【補正方法】変更
【補正の内容】
【００６２】
[00110]ステップ（ｃ）は、（i）柱状部からブラシホルダを取り外すこと、（ii）コア内の凹所から柱状部を取り外すこと、（iii）コアによって設けられた相補的溝を、連結部材上に配置されたボスのそばを通るように位置合せすること、（iv）コアを空洞内で下方に摺動させること、または（v）コアの凹所が取り外されるときに柱状部上のロッカアームを解放すること、のうちの１つまたは複数を含むことができる。
【手続補正１１】
【補正対象書類名】明細書
【補正対象項目名】００６３
【補正方法】変更
【補正の内容】
【００６３】
[00111]ステップ（ｅ）は、（i）ブラシ交換用固定具／支持カムが、ブラシがリテーナの端部の上に保持された状態でリテーナの端部をブラシ箱から外へ変位させて、ブラシ箱内へのブラシの挿入を可能にすること、または（ii）ブラシホルダが固定具から取り外されたときにリテーナの端部を解放して、リテーナがブラシ箱内にブラシを保持できるようにすること、のうちの１つまたは複数を含むことができる。
【手続補正１２】
【補正対象書類名】明細書
【補正対象項目名】００６６
【補正方法】変更
【補正の内容】
【００６６】
[00114]ステップ（ｈ）は、（i）コア内の凹所から柱状部を取り外すこと、（ii）コアを空洞内で下方に摺動させること、（iv）凹所が柱状部上のロッカアームを解放すること、または（v）ブラシホルダが支持体に完全に着座するまでハンドルが取り外せないようにハンドルを連動させること、のうちの１つまたは複数を含むことができる。
【手続補正１３】
【補正対象書類名】明細書
【補正対象項目名】００６７
【補正方法】変更
【補正の内容】
【００６７】
[00115]本開示は、ブラシホルダを交換する方法も提供し、この方法は、（ａ）ブラシホルダが柱状部を備える支持体に連結されている間にブラシホルダ上にハンドルを配置することであって、ブラシホルダ上にハンドルを配置することが、ハンドルの空洞内に移動可能に配置されたコア内の凹所の中に柱状部を挿入すること、（ｂ）ハンドルをブラシホルダに対して時計回り方向または反時計回り方向である第１の方向に回転させてハンドルをブラシホルダに連結すること、（ｃ）ハンドルがブラシホルダに装着されている間にハンドルを引っ張ることにより支持体からブラシホルダを取り外すこと、（ｄ）コアを空洞内で上方に移動させるハンドル上のトリガを引っ張る間にハンドルをブラシホルダに対して回転させること、（ｅ）ブラシホルダからハンドルを取り外すこと、（ｆ）ハンドルを替えブラシホルダ上に配置すること、（ｇ）ハンドルを替えブラシホルダに対して回転させてハンドルを替えブラシホルダに連結すること、（ｈ）ハンドルを使用して替えブラシホルダを支持体上に配置すること、（ｉ）次いで、ハンドルを第１の方向とは逆の第２の方向に回転させること、および（ｊ）次いで、替えブラシホルダからハンドルを取り外すこと、を含む。